(57)【要約】【課題】小さな地表面積で、より細かく分別可能な立体型廃棄物集積装置を提案する。【手段】軸線が水平方向に延び互いに平行な上部回転体５と下部回転体６との間を連結するように、一対の移送帯７、８を設け、この移送体７、８に複数の廃棄物収納容器１０を回転自在に吊り下げる。上部回転体５または下部回転体６を駆動することにより、一対の移送帯７、８を移送させ、複数の廃棄物収納容器１０を上下方向に移送する。各廃棄物収納容器１０は、常に底部が下に向くようにしながら、上下方向に移送され、この各廃棄物収納容器に、廃棄物を種類毎に分別収容する。複数の廃棄物収納容器１０を上下方向に移送する構成により、地表の占有面積を小さくできる。【選択図】　図１
2004059177.tif 000002
【特許請求の範囲】
【請求項１】
軸線がほぼ水平方向に延びて互いにほぼ平行になるように鉛直方向に隔てて配置された上部回転体と下部回転体、それぞれ前記上部回転体と下部回転体との間にそれらを連結するように巻つけられ前記上部回転体と下部回転体の少なくとも一方の回転に伴って移送される一対の移送帯、およびこれらの一対の移送帯の間に配置され各移送帯に回動自在に取り付けられた複数の廃棄物収納容器を備え、前記複数の廃棄物収納容器がその底部が常に下に向くようにして、前記一対の移送帯の移送に伴い立体的に上下方向に移送され、これらの複数の廃棄物収納容器に複数種の廃棄物が分別収納される立体型廃棄物集積装置。
【請求項２】
請求項１記載の立体型廃棄物集積装置であって、前記上部回転体と下部回転体がスプロケットであり、また前記一対の移送帯のそれぞれがこのスプロケットに噛み合うチェーンで構成された立体型廃棄物集積装置。
【請求項３】
請求項１または２記載の立体型廃棄物集積装置であって、上下方向に移送される前記各廃棄物収納容器がその上下方向の最下段に呼び出し可能に構成された立体型廃棄物集積装置。
【請求項４】
請求項１から３のいずれかに記載の立体型廃棄物集積装置であって、上下方向に移送される前記廃棄物収納容器の最下段の下に、廃棄物収集車の駐車スペースが確保されている立体型廃棄物集積装置。
【請求項５】
請求項１から４のいずれかに記載の立体型廃棄物集積装置であって、前記各廃棄物収納容器の底部に開閉可能な開閉扉が設置され、この開閉扉を通じて内部に収納された廃棄物が排出される立体型廃棄物集積装置。
【請求項６】
請求項１から５のいずれかに記載の立体型廃棄物集積装置であって、前記各廃棄物収納容器に、収納する廃棄物の種類を表示する表示パネルが設けられた立体型廃棄物集積装置。
【発明の詳細な説明】
【０００１】
【発明の属する技術分野】
この発明は、廃棄物を分別収納する立体型廃棄物集積装置に関するものである。
【０００２】
【従来の技術】
従来の廃棄物集積設備は、地平面などの一平面を、分別する廃棄物の種類に応じて、複数の廃棄物集積場所に区切って構成するか、またはその一平面上に複数の廃棄物収納容器、廃棄物収納コンテナを配置したものである。
【０００３】
【発明が解決しようとする課題】
この従来の廃棄物集積設備は、一平面を区切るか、この一平面に複数の廃棄物収納容器を並べるものであり、大きな面積を必要とする。
【０００４】
この発明は、より小さい面積に設置可能な立体型廃棄物集積装置を提案するものである。
【０００５】
【課題を解決する手段】
この発明による立体型廃棄物集積装置は、軸線がほぼ水平方向に延びて互いにほぼ平行になるように鉛直方向に隔てて配置された上部回転体と下部回転体、それぞれ前記上部回転体と下部回転体との間にそれらを連結するように巻きつけられ前記上部回転体と下部回転体の少なくとも一方の回転に伴って移送される一対の移送帯、およびこれらの一対の移送帯の間に配置され各移送帯に回動自在に取り付けられた複数の廃棄物収納容器を備え、前記複数の廃棄物収納容器がその底部が常に下に向くようにして、前記一対の移送帯の移送に伴い立体的に上下方向に移送され、これらの複数の廃棄物収納容器に複数種の廃棄物が分別収納される。
【０００６】
また、この発明による立体型廃棄物集積装置は、好ましくは、前記上部回転体と下部回転体がスプロケットであり、また前記一対の移送帯のそれぞれがこのスプロケットに噛み合うチェーンで構成される。
また、この発明による立体型廃棄物集積装置は、好ましくは、上下方向に移送される前記各廃棄物収納容器がその上下方向の最下段に呼び出し可能に構成される。
また、この発明による立体型廃棄物集積装置は、好ましくは、上下方向に移送される前記廃棄物収納容器の最下段の下に、廃棄物収集車の駐車スペースが確保される。
【０００７】
また、この発明による立体型廃棄物集積装置は、好ましくは、前記各廃棄物収納容器の底部に開閉可能な開閉扉が設置され、この開閉扉を通じて内部に収納された廃棄物が排出される。
さらに、この発明による立体型廃棄物集積装置は、好ましくは、前記各廃棄物収納容器に、収納する廃棄物の種類を表示する表示パネルが設けられる。
【０００８】
【実施の形態】
実施の形態１．
図１はこの発明による立体型廃棄物集積装置の実施の形態１を示す正面図、図２はその側面図である。
【０００９】
この実施の形態１の立体型廃棄物集積装置は、地上に立てられた一対の支持板１、２を有する。支持板１、２は例えば地面上に鉛直方向に延びるように互いに対向して配置されている。これらの支持板１、２は互いにほぼ同じ形状を持ち、例えば金属板などで構成される。
【００１０】
支持板１、２の上部には、回転軸３が設けられ、またそれらの中間部分には、別の回転軸４が設けられている。これらの回転軸３、４はともに水平方向に延びるように支持板１、２の間に配置され、それぞれの両端が支持板１、２で回転可能に支持されている。回転軸３、４は鉛直方向に、上下に間隔をおいて互いに平行に配置されている。
【００１１】
回転軸３には上部回転体５が、また回転軸４には下部回転体６がそれぞれ取り付けられている。上部回転体５は相対向する一対のスプロケット５ａ、５ｂを有し、また下部回転体６は相対向する一対のスプロケット６ａ、６ｂを有する。スプロケット５ａ、６ａは、鉛直方向の同じ平面上に位置するようにして、回転軸３、４に固定され、またスプロケット５ｂ、６ｂも、鉛直方向の同じ平面上に位置するようにして、回転軸３、４に固定され、それぞれ回転軸３、４を軸線として回転する。
【００１２】
スプロケット５ａ、６ａには移送帯７が、またスプロケット５ｂ、６ｂには移送帯８がそれぞれ巻きつけられる。これらの移送帯７、８は例えばチェーンで構成され、チェーン７はスプロケット５ａ、６ａに噛み合ってそれらを連結し、同様にチェーン８はスプロケット５ｂ、６ｂに噛み合ってそれらを連結する。スプロケット５ａ、５ｂ、６ａ、６ｂとチェーン７、８の噛み合いは、それらの間のスリップを防止し、チェーン７、８をより確実に移送する。
【００１３】
回転軸４の一端には、それを駆動する電動機９が配置される。この電動機９は支持板１により支持され、回転軸４を駆動する。電動機９により回転軸４が駆動されると、スプロケット５ｂ、６ｂが回転し、それに伴って、チェーン７、８が移送され、スプロケット５ａ、６ａも回転する。
【００１４】
チェーン７、８の間には、複数の廃棄物収容容器１０が配置される。例えば２０個の廃棄物収納容器１０が配置される。この各廃棄物収納容器１０は、上部両端に支持腕１０ａ、１０ｂを有し、これらの支持腕１０ａ、１０ｂはチェーン７、８に回転自在に支持される。結果として、各廃棄物収納容器１０は、その重力により、その底部１０ｃが常に地面に向くように、支持腕１０ａ、１０ｂの部分で回転するように、チェーン７、８間に支持される。
【００１５】
各廃棄物収納容器１０には、収納する廃棄物の種類を表示する表示パネル１１が設置され、この廃棄物の種類毎に、廃棄物が分別収納される。もちろん廃棄物収納容器１０のそれぞれに別々の廃棄物種類を設定することも、また廃棄物収納容器１０の幾つかに、同じ廃棄物種類を設定することも可能である。
【００１６】
複数の廃棄物収納容器１０は、互いに間隔をおいて、チェーン７、８間に、吊り下げられ、電動機９によるチェーン７、８の移送（公転）に伴い、上下方向に移送される。チェーン７、８の公転にともない、すべての廃棄物収納容器１０がその底部１０ｃを常に地面に向けながら公転するように上下方向に移送される。
【００１７】
各廃棄物収納容器１０は、上下方向に移送され、順次最下段Ｂを通過する。この最下段Ｂは、廃棄物収納容器１０に対する廃棄物の収容または排出の位置として利用される。すなわち、この最下段Ｂにおいて、各廃棄物収納容器１０に対する廃棄物の収納作業または排出作業が行なわれる。この最下段Ｂの下には、廃棄物収集車１２の駐車スペース１３が確保されている。
【００１８】
各廃棄物収納容器１０の底部１０ｃには、遠隔操作によって開閉可能な開閉扉１０ｄが設けられている。この開閉扉１０ｄは、例えば電磁石のオンオフにより遠隔開閉操作される。最下段Ｂに位置する廃棄物収納容器１０の開閉扉１０ｄが開かれ、内部の廃棄物が廃棄物収集車１２に排出される。
【００１９】
所定の廃棄物種類に対応した廃棄物収納容器１０を、最下段Ｂに呼び出すことも可能である。この場合、電動機９の制御操作によって、所定の廃棄物種類に対応した廃棄物収納容器１０が最下段Ｂにくるように、制御される。
【００２０】
なお、図１、２において、１４は雨よけカバーであり、支持板１、２の頂上に固定される。この雨よけカバー１４は、装置を屋外に設置する場合に設けられる。
【００２１】
実施の形態１では、複数の廃棄物収納容器１０が移送帯７、８の移送に伴い、立体的に上下方向に移送されるので、複数の廃棄物収納容器１０を設置するための地表面積を小さくできる。またより多くの廃棄物収納容器１０を利用して、廃棄物をより細かく分別することも可能となる。
【００２２】
【発明の効果】
以上のように、この発明によれば、複数の廃棄物収納容器が一対の移送帯の移送に伴い、立体的に上下方向に移送されるので、複数の廃棄物収納容器を設置するための地表面積を小さくでき、またより多くの廃棄物収納容器を利用して、廃棄物をより細かく弁別することも可能となる。
【図面の簡単な説明】
【図１】この発明による立体型廃棄物集積装置の実施の形態１を示す正面図。
【図２】その側面図。
【符号の説明】
１、２　支持板、　３、４　回転軸、　５　上部回転体、　６　下部回転体、７、８　移送帯、　９　電動機、　１０　廃棄物収納容器　１１　表示パネル、１２　廃棄物収集車、
【図１】
2004059177.tif 000003
【図２】
2004059177.tif 000004